(57)【要約】【課題】補強シートの上に内装材を取り付ける際に不陸が生じたりせず、地震等の際に補強シートの割れが成長しないようにした。【解決手段】耐震改修壁１は、躯体をなす柱３と柱３に取り付けた既存の内装材１１とを備え、既存の内装材１１の上に補強シート１２を取り付けた。補強シート１２の柱３や間柱に重なる位置に合板１４を取り付け、合板１４に所定間隔で形成した孔１４ａ内に座金１６を通して固定ビス１５をねじ込んで柱３に固定する。しかも固定ビス１５の頭部は合板１４の孔１４ａから突出しない。合板１４の上に新規の内装材１８を取り付けて皿ネジ１９で柱３に固定し、皿ネジ１９の頭部１９ａを新規の内装材１８に埋め込む。その際、新規の内装材１８に不陸は生じない。また、補強シート１２は既存の内装材１１と合板１４及び座金１６に挟まれて保持される。【選択図】図３
2016160576.tif 000002
【特許請求の範囲】
【請求項１】
躯体をなす縦材と、
前記縦材に取り付けた壁材と、
前記壁材に取り付けた補強シートと、
前記補強シートまたはその近傍に取り付けたスペーサと、
前記補強シートを縦材に固定し且つ前記スペーサから突出しない固定具と、
を備えたことを特徴とする耐震改修壁。
【請求項２】
前記スペーサには孔が形成されており、該孔を通して前記固定具を固定するようにした請求項１に記載された耐震改修壁。
【請求項３】
前記固定具の頭部を前記スペーサから突出しないように埋め込んだ請求項１に記載された耐震改修壁。
【請求項４】
前記スペーサには前記固定具を縦材に固定する位置の目印が設けられている請求項３に記載された耐震改修壁。
【請求項５】
前記スペーサ及び固定具の上に新規の内装材を取り付けた請求項１から４のいずれか１項に記載された耐震改修壁。
【請求項６】
躯体をなす縦材に設けた壁材に補強シートを取り付ける工程と、
前記補強シートにスペーサを取り付ける工程と、
前記スペーサに設けた孔または目印を通して固定具を前記スペーサから突出しないように埋め込んで前記補強シートを縦材に固定する工程と、
前記スペーサの上に内装材を固定する工程と
を備えたことを特徴とする耐震改修壁の施工方法。
【発明の詳細な説明】
【技術分野】
【０００１】
本発明は、建物の耐震性能を改善するようにした耐震改修壁とこの耐震改修壁の施工方法に関する。
【背景技術】
【０００２】
わが国では、耐震性が建物の重要な要素として広く認められており、新築の建物では施工時の耐震基準に基づいてその基準を満たすように建築されている。しかしながら、既存の建物では、耐震性を改善することは内装材や外装材等を一部除去しなければならないため、コストと手間がかかり、十分行われていなかった。
【０００３】
これに対し、特許文献１に記載された耐震改修壁では、図８及び図９に示すように建物の柱１０１の室内側に石膏ボード等の内装材１０２を配置した既存の状態から耐震補強用のアラミド繊維シート等を含む補強シート１０３を固定具１０４で内装材１０２を通して柱１０１に固定する技術が提案されている。固定具１０４として座金１０５を介して締結ネジ１０６を柱１０１にねじ込むことで補強シート１０３を固定している。
この技術によれば、既存の建物の耐震改修に際して既存の壁面をほとんど除去しないで耐震改修が可能であるため、改修施工が容易で短時間で済み、施工に伴うごみや廃棄物等の発生が少なくて低コストであるという利点がある。
【先行技術文献】
【特許文献】
【０００４】
【特許文献１】特開２０１３−１３９６９８号公報
【発明の概要】
【発明が解決しようとする課題】
【０００５】
しかしながら、上述した特許文献１による耐震改修壁では、補強シート１０３の上に座金１０５と締結ネジ１０６の頭部が突出しているため、室内の装飾性や意匠性を確保するためにその上に内装材として例えば石膏ボード１０７等を新たに取り付けようとすると、締結ネジ１０６のない部分で石膏ボード１０７が凹んで撓んでしまい、不陸が発生するおそれがあった。
また、補強シート１０３の上に締結ネジ１０６を固定する際、位置出しのために施工時に締結ネジ１０６の取り付け位置を測定して墨だししなければならず、そのための工数がかかっていた。
【０００６】
本発明は、このような課題に鑑みてなされたものであって、補強シートの上に内装材を取り付ける際に不陸が生じたりせず、地震等の際に補強シートの割れが成長しないようにした耐震改修壁と耐震改修壁の施工方法を提供することを目的とする。
【課題を解決するための手段】
【０００７】
本発明による耐震改修壁は、躯体をなす縦材と、縦材に取り付けた壁材と、壁材に取り付けた補強シートと、補強シートまたはその近傍に取り付けたスペーサと、補強シートを縦材に固定し且つスペーサから突出しない固定具と、を備えたことを特徴とする。
本発明によれば、縦材に壁材を取り付けた状態で、スペーサを介してまたはスペーサの近傍に補強シートを固定具によって縦材に固定し、その際、固定具がスペーサから突出しないように固定することで、その上に新規の内装材等を取り付ける際、固定具によって不陸になることを防止できるため、見栄えのよい外観が得られる。しかも、得られた耐震改修壁は補強シートが壁材とスペーサによって挟まれるか補強シート近傍にスペーサが位置することで、地震等の際に固定具と補強シートが位置ずれを起こして固定具の挿入時等に形成され得る補強シートの切れ目が成長することを防止できる。
【０００８】
また、スペーサには孔が形成されており、該孔を通して固定具を固定するようにしてもよい。
予め孔を形成したスペーサで補強シートを押さえ、スペーサの孔によって固定具を補強シートを通して縦材に固定する位置を設定できるため、墨だし等をすることなく固定具の取り付け位置を認識できて施工時の工数を削減できる。なお、固定具に座金を設ければ、補強シートを押さえつけて地震等の際に切れ目が成長することを防止できる。
【０００９】
また、固定具の頭部をスペーサから突出しないように埋め込むことが好ましい。
スペーサに固定具をねじ込む際、固定具が皿ネジや無頭ネジ等であればスペーサから突出しないように埋め込むことができ、その後の新規の内装材の取り付けに不陸を生じない。その際、スペーサを縦材に重なる位置に設置すれば孔や目印等はなくてもよい。
【００１０】
また、スペーサには固定具を縦材に固定する位置の目印が設けられていてもよい。
スペーサに設けた目印に固定具を打ち込んで固定すれば、確実に補強シートを通して縦材に固定できる。
【００１１】
また、スペーサ及び固定具の上に新規の内装材を取り付けることが好ましい。
固定具はスペーサの上に突出しないため、スペーサを介して新規の内装材を取り付ける際に不陸を生じない。
【００１２】
本発明による耐震改修壁の施工方法は、躯体をなす縦材に設けた壁材に補強シートを取り付ける工程と、補強シートにスペーサを取り付ける工程と、スペーサに設けた孔または目印を通して固定具をスペーサから突出しないようにねじ込んで補強シートを縦材に固定する工程と、スペーサの上に内装材を固定する工程とを備えたことを特徴とする。
本発明によれば、スペーサに設けた孔または目印に固定具をねじ込んでスペーサから突出しないように固定することで、スペーサを介した固定具のねじ込みに墨だしが不要で工数を削減できて、スペーサ上に取り付ける新規の内装材に不陸を生じないため耐震改修壁の仕上がりがきれいで美観を向上できる。しかも、補強シートが壁材とスペーサとによって挟まれることで、地震等の際に固定具と補強シートが位置ずれを起こして補強シートの切れ目が成長することを防止できる。
【発明の効果】
【００１３】
本発明による耐震改修壁とその施工方法によれば、補強シートまたはその近傍にスペーサを取り付けて固定具によって補強シートを縦材に固定し且つ固定具がスペーサから突出しないため、スペーサの上に新たな内装材を取り付けても不陸を発生せず美観を向上できる。しかも、補強シートをスペーサと壁材で押さえつけるか補強シート近傍にスペーサを設けたために、地震等の際に固定具との間で生じる補強シートの割れが成長することを防止できる。
【００１４】
また、本発明による耐震改修壁の施工方法によれば、スペーサに設けた孔または目印を通して固定具を固定するため、現場で固定具の位置決めの必要がなく工数を削減できる。
【図面の簡単な説明】
【００１５】
【図１】本発明の第一実施形態による耐震改修壁の説明図である。
【図２】図１に示す耐震改修壁を一部破断して示す斜め上方から見た斜視図である。
【図３】図１に示す耐震改修壁のＡ−Ａ線断面図である。
【図４】図３に示す補強シートの上に合板を取り付けて固定ビスで固定した状態の正面図である。
【図５】本発明の第二実施形態による耐震改修壁を示す要部断面図である。
【図６】図５に示す補強シートの上に合板を取り付けた状態の正面図である。
【図７】本発明の第二実施形態による耐震改修壁の変形例を示すもので、図６と同様に補強シートの上に合板を取り付けた状態の正面図である。
【図８】本発明の第三実施形態による耐震改修壁を示すもので、（ａ）は断面図、（ｂ）は正面図である。
【図９】従来技術による耐震改修壁に内装材を取り付ける状態を示す縦断面図である。
【図１０】図９に示す従来の耐震改修壁における補強シートを縦柱にねじ止めした状態を示す正面図である。
【発明を実施するための形態】
【００１６】
以下、本発明の実施形態による建物の耐震改修壁を図１乃至図７に基づいて説明する。
図１から図４は本発明の第一実施形態による耐震改修壁１を示すものである。図１に示す建物の正面の壁面２は耐震改修壁１を備えており、壁面２の背面側に柱３、間柱４、上梁５、下梁６が組み込まれている。壁面２の上部には天井が形成され、下部には床が形成され、壁面２は上梁５や下梁６に到達しない寸法に設置されている。壁面２の一部には引き違い障子７ａを備えた開口部装置７が設置されている。そして、正面の壁面２に耐震改修壁１の仕上げ内装材として例えば壁紙９が貼り付けられている。
【００１７】
図２から図４は壁面２を構成する耐震改修壁１を示すものである。図２及び図３において、既存の構造体における部材として柱３と柱３の間に間柱４が設置され、これら柱３と間柱４の内面には平板状の既存の内装材１１が設置されている。この内装材１１は例えば既存の石膏ボードで構成されている。
既存の内装材１１の表面には例えばアラミド繊維シート等の補強シート１２が取り付けられている。補強シート１２は板状またはシート状の部材であり、これを既存の内装材１１を介して柱３と間柱４に固定することで建物の強度を向上させ、耐震強度を高めている。補強シート１２は耐震強度を高めることができればその材質を限定されることはないが、その特性として例えば引っ張り強度２ＧＰａ以上、弾性率５０ＧＰａ以上の少なくとも一方を満たす板状またはシート状の部材であることが好ましい。
【００１８】
補強シート１２はより具体的には繊維シートを含むものが好ましい。その中でも高強度繊維（「高強度・高弾性率繊維」と呼ばれることもある。）シートであることがさらに好ましい。これによれば軽量で高い強度を得ることができる。
また、補強シート１２は、繊維シートや高強度繊維シートを接着剤や樹脂等の各種の樹脂を含む材料に埋めて固めることにより、全体として平板状やシート状に形成したものが好ましい。これにより、既存の内装材１１に補強シート１２を取り付ける際に繊維シートのしわやよじれ等の発生を防止することができ、均一性の高い施工を行うことができる。従って、施工の作業性も高まるので工期の短縮もできる。
【００１９】
補強シート１２に用いられる高強度繊維シートは特に限定されないが、例えばガラス繊維シート、炭素繊維シート、アラミド繊維シート、繊維の単糸を配列してプリプレグして作製したシート、マルチフィラメントのストランドを織る等して作製した繊維シート、ポリプロピレン繊維シート、ポリエステル繊維シート、ターポリン、樹脂含浸炭素繊維シート、樹脂含浸アラミド繊維シート、樹脂含浸ガラス繊維シート、超高分子量ポリエチレン繊維シート、ポリアリレート繊維シート、ポリケトン繊維シート、及びポリパラフェニレンベンズビスオキサゾール繊維シート等を挙げることができる。
【００２０】
また、繊維シートや高強度繊維シートを埋めて板状とする材料としては、繊維シートや高強度繊維シートを樹脂等に含浸等させて固めることにより板状を形成することができればよく特に限定されることはない。含浸や埋め込みの材料として例えばポリエステル樹脂、エポキシ樹脂、エポキシ樹脂系接着剤、アクリル樹脂系接着剤、ポリアミド樹脂系接着剤等の樹脂を含む材料を挙げることができる。
このような補強シート１２を製造する方法は特に限定されるものではないが、繊維シートや高強度繊維によるシートに流動性を有する上述した樹脂を含有する組成物を含浸させ、その組成物を硬化させることで製造できる。
【００２１】
そして、既存の内装材１１に補強シート１２を取り付けた状態で、図４に示すように、少なくとも柱３または間柱４の上にスペーサとして例えば合板１４を取り付けて固定ビス１５によって固定している。合板１４は例えば柱３や間柱４と同等以上の幅を有する板材であることが好ましい。また、合板１４は上下方向に所定間隔（例えば２００ｍｍ間隔）で孔１４ａを形成し、この孔１４ａ内に座金１６を介して固定ビス１５で固定する。
この場合、固定ビス１５は補強シート１２と既存の内装材１１を介して柱３または間柱４にねじ込んで固定するものとする。合板１４に形成された孔１４ａは座金１６の外径より若干大きな内径寸法を有する円筒形状とする。しかも、合板１４の孔１４ａの深さは座金１６の厚さ及び固定ビス１５の頭部の高さと同等以上に設定するものとし、ねじ込んだ固定ビス１５の頭部が合板１４の表面より高くないことが好ましい。
【００２２】
そして、合板１４の上には新規の石膏ボード等からなる平板状の新規な内装材１８を取り付け、この内装材１８を上述した合板１４に固定した固定ビス１５の間の領域で固定ねじとして例えば皿ネジ１９をねじ込んで固定する。この場合、皿ネジ１９は柱３または間柱４に到達して固定されているものとし、しかも皿ネジ１９の頭部１９ａが新規の内装材１８内にねじ込まれていることが好ましい。
また、新規の内装材１８の表面には図２に示すように壁紙９等が接着剤等で固着されていることが好ましいが、壁紙９はなくてもよい。
【００２３】
本第一実施形態による耐震改修壁１は上述の構成を備えており、次に耐震改修壁１の施工方法について説明する。
建物の既存の壁面には、図１に示すように躯体をなす柱３と間柱４の内面側に既存の内装材１１が釘打ちやビス止め等や接着剤等で設置されている。この状態から、既存の内装材１１の表面に板状の補強シート１２を固定する。既存の内装材１１と補強シート１２との間に接着剤を塗布して貼り付けてもよいし、両面テープ等で貼り付けてもよい。
【００２４】
そして、図４に示すように、柱３や間柱４に重なる位置で補強シート１２の上面に合板１４を取り付ける。合板１４はその上下方向に所定間隔で孔１４ａが形成されており、これらの孔１４ａ内で座金１６を介して固定ビス１５をねじ込んで柱３や間柱４に固定する。その際、合板１４の各孔１４ａによって固定ビス１５の位置決めが正しく設定され、墨だしの必要もないため固定ビス１５で補強シート１２を取り付ける作業を短時間で正確に行え、工数を低減できる。しかも座金１６と固定ビス１５の頭部は合板１４の孔１４ａから突出することがなく、合板１４の表面と面一以下に保持される。
なお、合板１４は水平方向に所定間隔で柱３または間柱４に座金１６と固定ビス１５で固定することが好ましい。そして、図２に示すように２枚の合板１４の間で補強シート１２を直接間柱４や柱３に座金１６を介して固定ビス１５によって固定してもよい。この場合、補強シート１２はより確実に柱３や間柱４に固定でき、しかも座金１６と固定ビス１５の頭部は合板１４の厚みを超えて突出することはない。
【００２５】
次に、図２及び図３に示すように、合板１４間に石膏ボード等の新規の内装材１８を取り付けて、合板１４の上から例えば皿ネジ１９をねじ込んで新規の内装材１８、合板１４、補強シート１２、既存の内装材１１を介して柱３または間柱４に固定する。この場合、皿ネジ１９は合板１４上で上下の固定ねじ１５の間の位置にねじ込むことになる。しかも、新規の内装材１８は平板状の合板１４に面接触して取り付けられるため、固定ビス１５の頭部に当接して撓んだり凹凸による不陸が生じたりすることはない。
また、皿ネジ１９の頭部１９ａは石膏ボードからなる新規の内装材１８内に埋め込まれて内装材１８の表面と略面一になるため、突出しない。そのため、新規の内装材１８の表面に壁紙９等を接着剤等で貼着しても皿ネジ１９による不陸が生じることはない。
【００２６】
そして、地震等が発生した場合、耐震改修壁１が振動で揺れたとしても、補強シート１２はその一方の面を座金１６や合板１４で押さえられ他方の面を既存の内装材１１に押し付けられている。そのため、補強シート１２の固定ビス１５によって形成された穴が振動によって相対的に移動して穴の切れ目が成長することを防止でき、補強シート１２による耐震性能を低下させることを防止できる。
【００２７】
なお、上述の説明では、上述した特許文献１の耐震改修壁との関係で、柱３や間柱４に既存の内装材１１と補強シート１２を取り付けた状態を既設の壁面２とした。しかし、耐震改修を行っていない家屋や壁面２を前提に考えれば、柱３や間柱４に既存の内装材１１を取り付けた構成が既設の壁面２であり、本第一実施形態による耐震改修壁１はこの既設の壁面２に補強シート１２と合板１４と新規の内装材１８を取り付けることによって得られるものともいえる。
【００２８】
上述のように本第一実施形態による耐震改修壁１は、既存の内装材１１に取り付けた補強シート１２上に柱３や間柱４に重ねた合板１４の孔１４ａ内に座金１６付きの固定ビス１５をねじ込むことで固定ビス１５が合板１４より突出しないため、その上に取り付ける新規の内装材１８に不陸が発生することを防止できる。そのため、補強シート１２によって耐震性を高めると共に、平坦で見栄えの良い新規の内装材１８や壁紙９を設置することができて内装の審美性を向上できる。
【００２９】
しかも、合板１４に固定ビス１５と座金１６の位置出しを行う孔１４ａを所定間隔で設けたから、耐震改修壁１の施工時に工数を削減できる。また、新規の内装材１８を取り付けるための皿ネジ１９も合板１４の孔１４ａを外れた位置に取り付けできて固定位置が正確である上に、皿ネジ１９の頭部を新規の内装材１８内に埋め込むことができて表面を平坦に形成できる。
更に、地震等の際、補強シート１２の固定ビス１５による穴が振動によって相対的に移動して穴の切れ目が成長することを防止でき、補強シート１２による耐震性能や耐震効果を劣化させることを防止できる。
【００３０】
なお、本発明による耐震改修壁１とその施工方法は、上述した実施形態に限定されるものではなく、本発明の要旨を逸脱しない範囲で適宜の変更や置換等が可能である。以下に、本発明の他の実施形態や変形例について説明するが、上述した実施形態で説明した部品や部材等と同一または同様なものについては同一の符号を用いて説明する。
【００３１】
本第二実施形態による耐震改修壁２４は、図５に示すように、上述した第一実施形態と同様に、柱３または間柱４の上に既存の内装材１１を取り付け、その上に補強シート１２、スペーサとしての合板１４、新規の内装材１８を順次積層して構成している。
しかも、本第二実施形態による耐震改修壁２４では、図６に示すように、スペーサを構成する合板１４に孔１４ａを形成していない。そして、固定ビス１５と座金１６に代えて皿ネジ１９をねじ込むものとし、図６に示すように、合板１４の表面に皿ネジ１９をねじ込む位置の目印２５を形成している。図に示す例では、目印２５として十字マークを形成したが、これに代えて○印、×印等、適宜の印やマーク等を形成できる。
【００３２】
そして、補強シート１２の上で柱３や間柱４に重なる位置に合板１４を設置し、この上から皿ネジ１９をねじ込んで、合板１４、補強シート１２、既存の内装材１１、柱３または間柱４に到達するまで螺合して固定する。これによって、皿ネジ１９の頭部１９ａは合板１４の内部に埋め込まれて略面一になるため、その上に取り付ける新規の内装材１８に不陸を生じない。しかも、補強シート１２は既存の内装材１１と合板１４によって挟み込まれ、地震等の際に補強シート１２と皿ネジ１９とが相対移動して補強シート１２の皿ネジ１９で生じる切れ目が成長することを防止できる。
【００３３】
なお、上述した各実施形態において、スペーサとして合板１４を用いたが、これに代えて樹脂板等を用いてもよく、いずれも比較的軟質の材料であるから、皿ネジ１９をねじ込むことで頭部１９ａを埋め込むことができる。
また、スペーサは合板１４や樹脂板等の軟質材に限定されるものではなく、硬質板、例えば鉄やステンレス等の鋼材であってもよい。この場合、図７に示すように、鋼板２６をなすスペーサにおいて固定ビス１５をねじ込む位置に下穴２７を形成しておけばよい。固定ビス１５を鋼板２６の下穴２７にねじ込むことで、固定ビス１５の頭部は鋼板２６の表面と面一になるため、その上に新規の内装材１８を取り付けても不陸を生じない。なお、この場合、新規の内装材１８を取り付ける皿ネジ１９を挿通させる貫通孔を鋼板２６等のスペーサに形成しておけばよい。その際、新規の内装材１８を通してスペーサの貫通孔を見付けやすいように隣接する下穴の中間位置に形成しておくか、或いは貫通孔を長穴状に形成しておく。そして、新規の内装材１８に皿ネジ１９の目印等を設ければなおよい。
【００３４】
次に本発明の第三実施形態による形態による耐震改修壁３０を図８により説明する。
図８（ａ）、（ｂ）に示すように、本実施形態による耐震改修壁３０は上述した各実施形態と同様に、柱３または間柱４の上に既存の内装材１１を取り付けている。更に、内装材１１の上に補強シート１２を座金１６と固定ビス１５によって固定し、補強シート１２の近傍、例えば補強シート１２の側端部に当接する位置に合板１４を取り付けてタッカー等で仮固定する。そして、合板１４同士にまたがって新規の内装材１８を当接させて、新規の内装材１８と合板１４を皿ネジ１９で内装材１１を介して柱３または間柱４にねじ込み固定する。
この場合、補強シート１２を固定する固定ビス１５は合板１４から突出することはない。また、合板１４は補強シート１２の側端部に当接していることが好ましいが、近傍にあれば非接触の位置でもよい。
本第三実施形態による耐震改修壁３０においても、合板１４によって新規の内装材１８に不陸が発生することを防止できる。
【００３５】
なお、上述した各実施形態において、既存の内装材１１や新規の内装材１８として石膏ボードを用いるとしたが、内装材は他の適宜材料でもよく、例えば木材や樹脂材等でもよい。また、既存の内装材１１は壁材を構成する。
また、合板１４等のスペーサに皿ネジ１９等をねじ込む際、スペーサに必ずしも目印２５は必要ない。スペーサは少なくとも柱３や間柱４等の縦材に重なる位置に設置するため、縦材に重なる位置を容易に認識して皿ネジ１９等をねじ込むことができる。
また、固定ビス１５及び座金１６や皿ネジ１９等は固定具を構成する。  
【符号の説明】
【００３６】
１、２４、３０  耐震改修壁
３  柱
４  間柱
９  壁紙
１１  既存の内装材
１２  補強シート
１４  合板
１４ａ  孔
１５  固定ビス
１６  座金
１８  新規の内装材
１９  皿ネジ
２５  目印
２６  鋼板
２７  下穴
【図１】
2016160576.tif 000003
【図２】
2016160576.tif 000004
【図３】
2016160576.tif 000005
【図４】
2016160576.tif 000006
【図５】
2016160576.tif 000007
【図６】
2016160576.tif 000008
【図７】
2016160576.tif 000009
【図８】
2016160576.tif 000010
【図９】
2016160576.tif 000011
【図１０】
2016160576.tif 000012